(57)【特許請求の範囲】
【請求項１】
インク用液体と、このインク用液体に着色するための着色剤の主体とが分離されて収納され、インク用液体が筆記先端へ誘導される途中で、着色剤がインク用液体に添加されるように形成されている筆記具に於いて、
インク用液体収納部と着色剤収納部の間に、インク用液体を着色剤収納部に誘導するものの、着色剤がインク用液体方向に拡散した時に着色剤を捕獲する着色剤吸着芯が設けられ、
前記着色剤吸着芯は、活性炭を主材とした多孔質状の棒状体で形成され、着色剤吸着芯の前端と着色剤添加芯の後端との接触面を適宜制限する規制部が設けられ、
前記着色剤収納部は、着色剤を含浸させた着色剤添加芯によって形成され、着色されたインクがインク誘導芯を通じて筆記先端に誘導されるように構成されたことを特徴とする筆記具。
【発明の詳細な説明】
【０００１】
【発明が属する技術分野】
本発明は、インクを用いた筆記具であって、インク中に含まれるインク用液体と着色剤が分離して収納されていて、インク用液体が筆記先端へ誘導される途中で、着色剤がインク用液体に添加されることにより、筆記先端では所定の色彩を呈するインクで筆記できるようにした筆記具に関する。
【０００２】
【従来の技術】
従来から、筆記具自体がインクを保有し、その筆記具自体が保有するインクを筆記先端へ導いて筆記する種々の筆記具が提案されている。
このような筆記具としては、具体的には、例えば万年筆、ボールペン、フェルトペン、サインペン（マーカーペン）などがある。
【０００３】
又、そのような筆記具に用いられるインクは、着色剤として染料又は顔料を、インク用液体としてのビヒクル（溶剤、媒体）中にあらかじめほぼ均一に溶解又は分散させたものである。
【０００４】
【発明が解決しようとする課題】
ところで、上記したような従来の筆記具は、その内部に保有されているインクの色彩をみることによって、筆記面に転写された際のインクの色彩を判断することができる点では便利である。しかし、近年、従来の筆記具とは見た感じがまったく異なる新しい筆記具の提供が望まれていた。
【０００５】
そこで、インク中に含まれるインク用液体と着色剤の主体とを分離して収納すると共に、インク用液体が筆記先端へ誘導される途中で、着色剤がインク用液体に添加されるように形成することにより、例えば、インク用液体を無色透明にしたり、あるいはインク用液体の色彩と同系の極めて薄い色彩にしたりして、筆記先端では所定の色彩を呈するインクで筆記できるものの、見た感じが従来の筆記具とはまったく異なる筆記具を提供することを目的とする。
【０００６】
ところが、インク用液体と着色剤の主体とが分離されて収納されていても、着色剤が経時においてインク用液体に拡散してしまう場合があり、完全に拡散してしまうと、従来の筆記具自体がインクを保有する筆記具との差がなくなってしまうという問題が生じた。
【０００７】
【課題を解決するための手段】
本発明は、上記課題を解決するために以下の構成を有する。
請求項１に記載の発明に係る筆記具は、インク用液体と、このインク用液体に着色するための着色剤の主体とが分離されて収納され、インク用液体が筆記先端へ誘導される途中で、着色剤がインク用液体に添加されるように形成されている筆記具に於いて、インク用液体収納部と着色剤収納部の間に、インク用液体を着色剤収納部に誘導するものの、着色剤がインク用液体方向に拡散した時に着色剤を捕獲する着色剤吸着芯が設けられ、前記着色剤吸着芯は、活性炭を主材とした多孔質状の棒状体で形成され、着色剤吸着芯の前端と着色剤添加芯の後端との接触面を適宜制限する規制部が設けられ、前記着色剤収納部は、着色剤を含浸させた着色剤添加芯によって形成され、着色されたインクがインク誘導芯を通じて筆記先端に誘導されるように構成されている。
【０００８】
【発明の実施例】
以下、本発明に係る筆記具の実施例を、図示例と共に説明する。
図１乃至図３は本発明の筆記具の実施例１を示している。
図に示すように、実施例１の筆記具は、円筒状の軸筒１を備え、この軸筒１の後方側の内部には、インク用液体１６を収納するための液体収納部１ａが設けられ、また、前方側の内部には、液体収納部１ａの圧力変化によるインク用液体の筆記先端部からの漏れ出しを防止するためのコレクター５が固定されている。
【０００９】
また、前記軸筒１は、例えば、ポリプロピレン（ＰＰ）などの合成樹脂を材料として、全体が無色透明に形成され、これにより、軸筒１の外部からその内部を視認できるようにしてある。
なお、軸筒１は、円筒状に形成される場合に限られず、例えば、その外周を多角形状に形成してもよい。
【００１０】
また、軸筒１は、ポリプロピレン（ＰＰ）を材料として形成される場合に限られず、例えば、ポリ塩化ビニル（ＰＶＣ）、ポリビニルブチラール（ＰＶＢ）、ポリビニルアルコール（ＰＶＡ）、ポリ塩化ビニリデン（ＰＶＤＣ）、ポリ酢酸ビニル（ＰＶＡＣ）、ポリビニルホルマール（ＰＶＦ）、ポリ２塩化ビニルなどのビニル系、ポリスチレン（ＰＳ）、スチレン・アクリロニトリル共重合体（ＡＳ）、ＡＢＳなどのポリスチレン系、エチレン・酢酸ビニル共重合体（ＥＶＡ）などのポリエチレン系、ポリメチルメタクリレート（ＰＭＭＡ）、変性アクリルなどのアクリル系、３ふっ化塩化エチレン（ＰＣＴＦＥ）、４ふっ化エチレン（ＰＴＦＥ）、４ふっ化エチレン・６ふっ化プロピレン（ＦＥＰ）、ふっ化ビニリデン（ＰＶＤＦ）などのふっ素樹脂、ポリアセタール（ＰＡ）、ポリカーボネート（ＰＣ）、フエノキシ、ポリエステル（ＰＥＴＰ）、ポリウレタン（ＰＵ）、フェノール・ホルムアルデヒド樹脂（ＰＦ）、尿素樹脂（ＵＦ）、メラニン・ホルムアルデヒド樹脂（ＭＦ）、エポキシ樹脂（ＥＰ）、フラン樹脂（ＦＦ）、キシレン樹脂（ＸＦ）、シリコーン樹脂、ナイロンなどを材料として形成してもよい。
【００１１】
また、軸筒１は、無色透明に形成される場合に限られず、例えば、有色透明、あるいは半透明に形成してもよい。
また、軸筒１は、全体が透明に形成される場合に限られず、例えば、その一部に透明な窓を設けることにより、その内部を視認できるようにしてもよい。
また、軸筒１は、全体が透明に形成されると共に、その把持部となる位置の外周に透明あるいは不透明な弾性体グリップが設けられてもよい。
【００１２】
また、軸筒１の表面に、文字や図形や模様などを付してもよい。
即ち、軸筒１は、その内部が視認できるように形成されていることが望ましいものである。
また、上述したコレクター５は、例えば、ＡＢＳなどの合成樹脂を材料として、全体が無色透明に形成されている。
【００１３】
また、図１乃至図３に示すように、コレタター５の外周には、液体収納部１ａ側の後端から筆記先端部側へ向けて形成されている液体誘導溝７と、筆記先端部側の前端から液体収納部１ａ側へ向けて形成されている空気置換溝８と、液体誘導溝７及び空気置換溝８の双方と交わるように形成されている多数の液体保留溝６とが設けられ、これらにより、液体収納部１ａ内の圧力変化を調整するようにしている。
【００１４】
なお、コレクター５は、無色透明に形成される場合に限られず、例えば、有色透明、半透明、あるいは不透明に形成してもよい。即ち、コレクター５は、その内部が視認できるものであってもよく、また、その内部が視認できないものであってもよい。
また、コレクター５の中心には、その後端部から筆記先端側の前端部まで貫通する孔部５ａが設けられている。この孔部５ａは、円筒状に形成される場合に限られず、例えば、その内周面を多角形状に形成してもよい。また、例えば、孔部５ａの内周面に、液体収納部１ａ側の後端から筆記先端部側の前端まで連続する多数の溝を設けてもよい。
【００１５】
また、その孔部５ａの軸方向略中央に孔部を適宜縮径した状態の規制部９が設けられると共に、孔部５ａの規制部９の後方側に着色剤吸着芯１４が挿入され、その着色剤吸着芯１４を固定する状態でコレクターの孔部５ａの後端にコレクター用芯１５が固定されている。なお、コレクター用芯１５は、着色剤吸着芯１４を固定する役目と共にインク用液体１６を着色剤吸着芯１４に誘導し、且つ着色剤吸着芯１４に吸着されなかった着色剤が液体収納部１ａのインク用液体１６及びコレクター５の液体保留溝６内に混入するのを防ぐ更なる安全装置となる。
【００１６】
また、孔部５ａの規制部９の前方側には、液体収納部１ａから着色剤吸着芯１４を経由して筆記先端部側へインク用液体１６を誘導するための着色剤添加芯１３が挿入されている。
また、着色剤添加芯１３に着色剤を含浸させることにより、着色剤をインク用液体１６とは分離して収納するようにしている。更には、これらにより、インク用液体１６が筆記先端部側へ誘導される途中で、着色剤がインク用液体１６に添加されるようにしている。
【００１７】
前記着色剤添加芯１３は、繊維束体によって、  円柱棒状に形成されている。
また、  着色剤添加芯１３としての繊維束体には、  インク用液体１６を誘導するための適正な気孔率が設けられている。
また、  着色剤添加芯１３は、  繊維束体によって形成される場合に限られず、  例えば、  多孔質体によって形成してもよい。
【００１８】
また、着色剤添加芯１３は、  ポリアセタール，  ポリプロピレンあるいはポリエステルなどの合成樹脂によって形成してもよい。  この場合、  芯の外周面に、  一方の端部から他方の端部まで連続する多数の毛細管溝やスリットや凹状部を設けたり、  あるいは芯の内部に、  一方の端部から他方の端部まで貫通する多数の毛細管溝や毛細管孔や凹状部が設けられる。
【００１９】
一方、筆記具を筆記せずに放置している状態が長く続くと着色剤がインク用液体に拡散し、見た感じの従来筆記具との差がなくなってしまう危険性がある。
そこで、着色剤吸着芯１４は、着色剤を拡散途中で捕獲・吸着させる目的で、活性炭を主材とした粉末状や繊維状のものを多孔質状で円柱棒状体に形成してなるものであって、インク用液体１６と着色剤添加芯１３との間に配設され、着色剤吸着芯１４の前端と着色剤添加芯１３の後端が略接触するように設けられることによって、インク用液体１６を液体収納部１ａから着色剤添加芯１３へ誘導可能とすると共に、  拡散された着色剤を吸着し、着色剤が液体収納部１ａ側へ移動するのを防止して、従来の筆記具とは見た感じがまったく異なる状態を長く維持可能とする。例えば、インク用液体１６が無色透明または、インク用液体１６に微着色した場合、その極めて薄い色の状態を長く維持することが可能である。
【００２０】
また、上述したように、コレクターの孔部５ａの軸方向略中央には、孔部５ａを適宜縮径した状態の規制部９が設けられている。この規制部９は、孔部５ａの内壁に一体に、前面にテーパー面を有して形成され、このテーパー面に密接するように着色剤添加芯１３の後端もテーパー面で形成されて、着色剤添加芯１３のテーパー状の後端が着色剤吸着芯１４の前端に接触している。
【００２１】
着色剤添加芯１３と着色剤吸着芯１４の接触部をこのように設けることによって、着色剤吸着芯１４が、液体収納部１ａから着色剤添加芯１３へインク用液体１６を適正量で誘導することが可能となり、且つ着色剤が液体収納部１ａ側へ移動するのが抑制されるので、一層着色剤が液体収納部１ａ側へ移動するが防止される。なお、前記規制部９の形状は実施例の形状に限定されず、設計都合により形状が選定可能である。
【００２２】
なお、このことは後述するコレクターを備えていない直液式のサインペン、マーカーペン、あるいはボールペンにも用いることができる。この場合、着色剤吸着芯の前端と着色剤添加芯の後端との接触面を適宜制限するように規制部が設けられる。
また、筆記具の前方部に於いて、前端に口先部２が固着された継ぎ手３が軸筒１の前端に固着され、口先部２の前端に筆記先端部としてのボールペンチップ１０が固定されると共に、口先部２の後方に延設された軸部がコレタター５の前端に形成された軸部の内孔に固定されている。また、口先部２と継ぎ手３との接合部に外気と接続する空気孔４が形成され、その通気孔４からコレクター５に設けられた空気置換溝８に連通する通気路が形成されている。
【００２３】
また、  ボールペンチップ１０は、  その前端に先端ボールを回転自在に保持し、  また、  ボールペンチップ１０の内部には、  インク誘導芯１２の前端部が挿入され、  これにより、  着色剤添加芯１３を通過したインクが筆記先端部へ誘導されるようになっている。
なお、  筆記先端部は、  ボールペンチップ１０によって形成される場合に限られず、  例えば、  万年筆のペン先によって形成してもよく、  また、  フェルトからなる筆記用尖端によって形成してもよく，  また、  繊維束体からなる筆記用尖端によって形成してもよく、  また、  ニードルペンに用いられる細い管状の筆記用尖端によって形成してもよい。
【００２４】
また、上述したインク用液体１６は、従来のインクのビヒクルに相当するものであり、  従来のインクから染料又は顔料を除いた部分を主体とするものである。例えば、  従来のインクのビヒクルをそのまま用いることによって、  無色透明又は半透明のインク用液体１６を調整することができる。
また、  例えば、  従来のインクのビヒクルに所定の成分を加えることによって、  あるいは従来のインクのビヒクルから所定の成分を取り除くことによって、  無色透明又は半透明のインク用液体１６を調整することもできる。
【００２５】
また、例えば、従来のインクのビヒクルに、極めて少量の染料又は顔料を溶解又は分散させることによって、有色透明又は有色半透明のインク用液体１６を調整することもできる。これにより、例えば、着色剤と同系であって極めて薄い色彩のインク用液体１６を調整することができる。また、例えば、着色剤とは異なる色彩であって極めて薄い色彩のインク用液体１６を調整することもできる。
【００２６】
具体的には、このインク用液体１６は、例えば、水、水溶性有機溶剤、潤滑剤、防腐剤、防錆剤、ＰＨ調整剤、乾燥防止剤、増粘剤、又はエマルジョンなどを適宜配合することによって調整することができる。更に、これらに染料または顔料のごく少量を溶解または分散させてもよい。
そして、このインク用液体１６は、軸筒１の内部の後方側に設けた液体収納部１ａに充填される。
【００２７】
また着色剤は、従来のインクの染料又は顔料に相当するものであり、従来のインクからビヒクルを除いた部分を主体とするものである。
例えば、従来のインクの染料又は顔料をそのまま用いることによって、固形状又は高濃度の液状の着色剤を調整することができる。
また、例えば、従来のインクのビヒクルに、極めて多量の染料又は顔料を溶解又は分散させることによって、高濃度の液状の着色剤を調整することもできる。
【００２８】
また、例えば、従来のインクのビヒクル中の所定の成分に、極めて多量の染料又は顔料を溶解又は分散させることによって、高濃度の液状の着色剤を調整することもできる。
そして、この着色剤は、液状に調整されたものについては、着色剤添加芯１３に含浸後乾燥されて、インク用液体１６とは分離して収納されることとなる。
【００２９】
なお、着色剤の筆記具内部への収納は、着色剤添加芯１３に含浸させる場合に限られるものではない。例えば、コレクター５の中心に設けた孔部に、固形状又は液状に調整した着色剤を充填してもよい。また、例えば、孔部の内周面に、液状に調整した着色剤を塗布して固化させてもよい。また、例えば、液体誘導芯の外周面に、液状に調整した着色剤を塗布して同化させてもよい。また、例えば、固形状に調整した着色剤を液体誘導芯の内部に埋め込んでもよい。更には、液体収納部１ａ以外の場所に、液状に調整した着色剤を保有すると共に、この着色剤がインク用液体１６の流れに従ってインク用液体１６に徐々に添加されるようにしてもよい。
【００３０】
このように、本実施例に係る筆記具は、インク用液体１６と着色剤とを分離して収納すると共に、インク用液体１６が筆記先端部へ誘導される途中で、着色剤がインク用液体１６に添加されるように形成することにより、筆記先端部では所定の色彩を呈するインクで筆記できるものの、見た感じが従来の筆記具とはまつたく異なるようにしているのである。
【００３１】
なお、本実施例では、コレクター５を備えた筆記具を示したが、本発明は、コレクターを備えた筆記具に限定されるものではなく、例えば、コレクターを備えていない直液式のサインペン、マーカーペン、あるいはボールペンにも用いることができる。
また図４及び図５は本発明の筆記具の実施例２を示している。
【００３２】
図に示すように、実施例２の筆記具は、円筒状の軸筒２４を備え、この軸筒２４の前方側の内部には、液体収納部の圧力変化によるインク用液体の筆記先端部からの漏れ出しを防止するためのコレクター２５が固定されている。
また、コレクター２５の孔部の軸方向略中央に、孔部の内壁に密着してブッシュ２９が固定され、そのブッシュ２９の後端に着色剤吸着芯２８の前端が略当接して設けられ、またブッシュ２９の軸心に設けられた細孔部に着色剤添加芯２７の後端に形成された細径部２７ａが嵌挿され、規制部として機能すると共に、細径部２７ａの後端が着色剤吸着芯２８の前端に接触して設けられている。なお、ブッシュ２９はゴムなどの弾性体で形成されるが、特に限定はされない。
【００３３】
この実施例２は、実施例１と同様の性能が期待できる。
【００３４】
【作用】
以上のように、インク中に含まれるインク用液体１６と着色剤とを分離して収納すると共に、インク用液体１６が筆記先端部に至る途中で、インク用液体１６が着色剤が収納されている着色剤添加芯１３を通過することにより、固形状の着色剤が少しずつ溶解しながら添加されること、あるいはインク用液体１６が、液状の着色剤が収納されている着色剤添加芯１３を通過することにより、液状の着色剤が少しずつ混ざりながら添加されることによって、例えば、インク用液体１６を無色透明にしたり、あるいはインク用液体１６の色彩を着色剤と同系の極めて薄い色彩にした時に、筆記先端部では所定の色彩を呈するインクで筆記できるものの、見た感じが従来の筆記具とはまったく異なる筆記具を提供することができる。
【００３５】
また、筆記具を筆記せずに放置している状態が長く続くと着色剤がインク用液体１６に拡散してしまう。そこで、着色剤を拡散途中で吸着させる目的でインク用液体１６と着色剤を含浸させた着色剤添加芯１３の間に着色剤吸着芯１４を配設することにより、染料の拡散時間を遅らせることができ、従来の筆記具とは見た感じがまったく異なる状態を長く維持することができる。
【００３６】
【発明の効果】
本発明の筆記具の構成及び作用は以上の如くであり、インク用液体収納部と着色剤収納部の間に、インク用液体を着色剤収納部に誘導するものの、着色剤がインク用液体方向に拡散した時に着色剤を捕獲する着色剤吸着芯が設けられることにより、インク用液体の外観透明感を長い期間維持することが確認され、これにより、従来の筆記具インクとは見た感じがまったく異なる様子を長期にわたり保ち続ける筆記具を提供することが可能となる。
【図面の簡単な説明】
【図１】本発明の実施例１の筆記具の全体を示す断面図である。
【図２】実施例１の要部を拡大して示した断面図である。
【図３】図１のＡーＡ線断面図である。
【図４】本発明の実施例２の筆記具の全体を示す断面図である。
【図５】実施例２の要部を拡大して示した断面図である。
【符号の説明】
１        軸筒
１ａ      液体収納部
２        口先部
３        継ぎ手
４        空気孔
５        コレクター
５ａ      孔部
６        液体保留溝
７        液体誘導溝
８        空気置換溝
９        規制部
１０      ボールペンチップ
１１      先端ボール
１２      インク誘導芯
１３      着色剤添加芯
１４      着色剤吸着芯
１５      コレクター用芯
１６      インク用液体
１７      キャップ
１８      尾栓
１９      軸筒
２０      コレクター
２１      インク誘導芯
２２      着色剤添加芯
２３      着色剤吸着芯
２４      軸筒
２５      コレクター
２６      インク誘導芯
２７      着色剤添加芯
２７ａ    細径部
２８      着色剤吸着芯
２９      ブッシュ
【図１】
0003558287.tif 000002
【図２】
0003558287.tif 000003
【図３】
0003558287.tif 000004
【図４】
0003558287.tif 000005
【図５】
0003558287.tif 000006